(57)【要約】【課題】ポリシ設定可能なピアツーピア通信において、通信の開始および終了を検出し、パケット中継遅延を防ぐセッション中継装置を提供する。【解決手段】通信端末間で送受信されるピアツーピア通信を制御するセッション制御メッセージを中継するセッション中継装置が、セッション制御メッセージから通信の開始および終了を検出し、セッションの識別情報およびセッション上で行われるピアツーピア通信に関する情報を取得し、ポリシ生成部がパケット中継制御処理を示すポリシを生成すると、該パケットを通過させるエッジノードを検索し、検索されたエッジノードにポリシを配信する構成とし、通信開始時に通信端末を収容するエッジノードにポリシ設定を行い、通信終了時にポリシ設定解除を行う。【選択図】　図１
2004146973.tif 000002
【特許請求の範囲】
【請求項１】
通信端末同士を接続するネットワークに位置し、前記通信端末の送受信するピアツーピア通信を制御するセッション制御メッセージを中継する手段を備え、前記セッション制御メッセージを送受信する通信端末間のセッション状態を格納するセッション管理テーブルを備えたピアツーピアセッション中継装置において、
前記ネットワークを構成する中継ノードにて、前記ピアツーピア通信パケットに対するパケット中継制御処理を示すポリシを格納するポリシ管理テーブルと、
前記通信端末と前記ネットワークの境界上に位置し前記通信端末をネットワークに収容するエッジノードとの対応関係を保持する通信端末−エッジノード対応テーブルを備え、前記セッション制御メッセージを解析し、前記端末間でのピアツーピア通信の開始を検出する手段と、
前記開始したピアツーピア通信セッションの識別情報および前記セッション上で送受信されるピアツーピア通信パケットの送信元アドレス、送信先アドレス、ポート番号、通信プロトコル、通信データ情報等のピアツーピア通信情報を取得する手段と、
前記取得手段により取得したセッション識別情報およびピアツーピア通信情報から、前記ピアツーピア通信パケットに対するポリシを生成し前記ポリシ管理テーブルに登録する手段と、
前記ポリシ管理テーブルに登録したポリシから前記通信端末−エッジノード対応テーブルを検索し、該当するエッジノードに前記ポリシを配信する手段と
を備えることを特徴とするセッション中継装置。
【請求項２】
前記セッション制御メッセージを解析し、前記端末間のピアツーピア通信の終了を検出する手段と、
前記終了したピアツーピアセッションの識別情報を取得する手段と、
当該セッション開始時に登録したポリシ情報を前記ポリシ管理テーブルから削除する手段と、
当該セッション開始時にエッジノードに配信したポリシを削除する手段と
を備えることを特徴とする請求項１に記載のセッション中継装置。
【請求項３】
前記ポリシ管理テーブルに格納されるポリシにおけるピアツーピア通信パケットに対するパケット中継制御処理としてパケットの優先中継処理を指定可能な請求項１ならびに２に記載のセッション中継装置。
【請求項４】
前記ポリシ管理テーブルに格納されるポリシにおけるピアツーピア通信パケットに対するパケット中継制御処理として次の中継先ノードを指定可能な請求項１ならびに２に記載のセッション中継装置。
【発明の詳細な説明】
【０００１】
【発明の属する技術分野】
本発明は、１対１の対等型ピアツーピア通信に関し、特に、ピアツーピア通信の開始および終了を契機とし、ネットワーク上の中継ノードに対するネットワーク運用ポリシを設定解除可能なセッション中継装置に関する。
【０００２】
【従来の技術】
通信キャリアやＩＳＰ　（Ｉｎｔｅｒｎｅｔ　Ｓｅｒｖｉｃｅ　Ｐｒｏｖｉｄｅｒ）などのネットワーク事業者において、ネットワークの経路制御方針や通信品質方針といったネットワーク運用方針はポリシとよばれ、それらポリシを一元的に管理するポリシサーバからネットワークを構築する多数の中継ノードにポリシを配布することでネットワークに反映していた。ポリシを配布するプロトコルとしては、ＩＥＴＦ　（Ｉｎｔｅｒｎｅｔ　Ｅｎｇｉｎｅｅｒｉｎｇ　Ｔａｓｋ　Ｆｏｒｃｅ）にて作成され、ＩＡＢ　（Ｉｎｔｅｒｎｅｔ　Ａｒｃｈｉｔｅｃｔｕｒｅ　Ｂｏａｄ）　によって発行された標準勧告文書ＲＦＣ　（Ｒｅｑｕｅｓｔ　ｆｏｒ　Ｃｏｍｍｅｎｔｓ）　２７４８に規定されたＣＯＰＳ　（Ｃｏｍｍｏｎ　Ｏｐｅｎ　Ｐｏｌｉｃｙ　Ｓｅｒｖｉｃｅ）　プロトコルが知られている。
【０００３】
例えば、特定のパケットを優先的に中継する優先制御を行うために、ネットワークの境界に配置されたエッジノードと呼ばれる中継ノードに対し、ネットワーク内に流入する特定のパケットを複数の優先制御クラスに分類し、クラスに対応したＤＳＣＰ　（Ｄｉｆｆｓｅｒｖ　Ｃｏｄｅ　Ｐｏｉｎｔ）と呼ばれる値をパケットのヘッダに設定するというポリシを配布する。
【０００４】
エッジノードによりＤＳＣＰ値を設定されたパケットの優先制御の一例としては、特開２０００−２５３０４７号公報に示したような、ネットワーク内部に配置されたコアノードと呼ばれる中継ノードにより、受信したパケットのヘッダにあるＤＳＣＰ値に基づいて予め決められた規則に従い優先制御転送を行うＤｉｆｆｓｅｒｖ　（ＤｉｆｆｅｒｅｎｔｉａｔｅｄＳｅｒｖｉｃｅｓ）と呼ばれる技術が用いられ、ＩＰ　（Ｉｎｔｅｒｎｅｔ　Ｐｒｏｔｏｃｏｌ）電話などのように、音声パケットや映像パケットといったリアルタイムパケットをＩＰネットワーク上で送受信するの転送遅延を小さくするために利用される。
【０００５】
一方、ＩＰ電話のような１対１の対等型ピアツーピア通信では、標準勧告文書ＲＦＣ　（Ｒｅｑｕｅｓｔ　ｆｏｒ　Ｃｏｍｍｅｎｔｓ）　３２６１に規定されたＳＩＰ　（Ｓｅｓｓｉｏｎ　Ｉｎｉｔｉａｔｉｏｎ　Ｐｒｏｔｏｃｏｌ）プロトコルに代表されるセッション制御プロトコルにて両通信端末間にセッションを確立し、その上で音声や映像といったリアルタイムデータによるピアツーピア通信が行われる。ＳＩＰでは、セッション制御メッセージを中継するセッション中継装置により、通信相手となる端末の検索や、端末情報、ピアツーピア通信情報などのセッション管理が行われる。
【特許文献１】
特開２０００−２５３０４７号公報（請求項１および１１）
【０００６】
【発明が解決しようとする課題】
上記ポリシサーバを用いたポリシ制御可能なピアツーピア通信では、ポリシサーバにおいてピアツーピア通信の開始や終了を検出することができないため、ポリシサーバのオペレータがピアツーピア通信の開始や終了に応じてエッジノードに対するポリシ設定を行う必要がある。しかし、ネットワーク規模が大きくなれば、ポリシの設定も頻繁に行われることになり、オペレータによる設定では対応が困難となる。
【０００７】
一方で、ピアツーピア通信を行う通信端末に関するポリシを全て事前にエッジノードに設定しておく方法では、ネットワークの大規模化に伴い、エッジノードにおけるポリシ制御の分類条件に対する検索処理が増大し、処理付加となって結果としてリアルタイムパケットのパケット中継遅延の増大を招く。
【０００８】
そこで本発明では、ポリシ設定可能なピアツーピア通信において、セッション中継装置にてピアツーピア通信の開始および終了を検出し、通信端末を収容するエッジノードに対するポリシ設定および解除を行うことで、オペレータによるポリシ設定操作を必要とせず、また、不要なポリシ設定によるエッジノードでのパケット中継遅延を防ぐことの可能なセッション中継装置を提供することを課題とする。
【０００９】
【課題を解決するための手段】
上記課題を解決するために本発明では、通信端末間を接続するネットワークに位置し、前記通信端末間にて送受信されるピアツーピア通信を制御するためのセッション制御メッセージを中継する手段を備え、前記セッション制御メッセージを送受信する通信端末間のセッション状態を格納するセッション管理テーブルを備えたピアツーピアセッション中継装置において、前記ネットワークを構成する中継ノードにて、前記ピアツーピア通信パケットに対するパケット中継制御処理を示すポリシを格納するポリシ管理テーブルと、前記通信端末と前記ネットワークの境界上に位置し前記通信端末をネットワークに収容するエッジノードとの対応関係を保持する通信端末−エッジノード対応テーブルを備え、前記セッション制御メッセージを解析し、前記端末間でのピアツーピア通信の開始および終了を検出する手段と、前記ピアツーピア通信セッションの識別情報および前記セッション上で送受信されるピアツーピア通信パケットの送信元アドレス、送信先アドレス、ポート番号、通信プロトコル、通信データ情報等のピアツーピア通信情報を取得する手段と、前記取得手段により取得したセッション識別情報およびピアツーピア通信情報から、前記ピアツーピア通信パケットに対するポリシを生成し前記ポリシ管理テーブルに登録或いは前記セッションに関連するポリシを削除する手段と、前記ポリシから前記通信端末−エッジノード対応テーブルを検索し、該当するエッジノードに前記ポリシを配信する手段を備えた。
【００１０】
【発明の実施の形態】
以下、ピアツーピア通信セッション制御プロトコルとしてＳＩＰを、ポリシ配信プロトコルとしてＣＯＰＳを用いた場合を例にとり、本発明の実施形態について説明する。
【００１１】
図１に本発明のセッション中継装置のブロック構成を示すブロック図である。
本発明のセッション中継装置１０は、ＩＰパケット処理を行うＩＰ機能ブロック１００、ピアツーピア通信セッション制御を行うＳＩＰメッセージ制御ブロック１１０、セッション状態を保持するセッション管理テーブル１２０、ポリシの配信を行うポリシ配信部２００、ポリシの生成を行うポリシ生成部２１０、生成したポリシを格納するポリシ管理テーブル２２０、通信端末と通信端末を収容するエッジノードの対応関係を保持する通信端末−エッジノード対応テーブル２３０とで構成した。上記構成でＩＰネットワーク上のピアツーピア通信端末１５から送信されたピアツーピア通信セッション制御メッセージを、通信相手端末を管理するセッション中継装置１０に転送するとともに、セッション開始および終了に伴い通信端末を収容するエッジノード２０に対してポリシ配信を行うものである。
【００１２】
図２は、ＱｏＳ制御可能なＩＰネットワークとしてＤｉｆｆｓｅｒｖによるＩＰネットワークを用いた場合に本発明のセッション中継装置を適用したネットワークの構成を示す網構成図である。
【００１３】
より具体的には、ＩＰアドレス１９２．１６８．１０．１を持つピアツーピア通信端末１５ａを用いてＩＰアドレス１９２．１６８．２０．１を持つ通信相手装置１５ｂとＱｏＳ制御可能なＩＰネットワーク４０を介してＱｏＳポリシの設定されたピアツーピア通信を行う場合の網構成と動作を示している。
【００１４】
通信端末Ａ　１５ａが通信端末Ｂ　１５ｂとピアツーピア通信を開始す通信端末１５ａは、ＩＰアドレス１９２．１６８．１００．１０を持つ中継装置１０ａに対し、通信端末１５ｂとのピアツーピア通信要求メッセージを転送する。通信端末１５ａの送信したピアツーピア通信要求メッセージは、本発明の中継装置１０ａ、通信端末１５ｂを管理するＩＰアドレス１９２．１６８．１００．２０を持つ中継装置１０ｂを介し、通信端末１５ｂに送信される。その際、中継装置１０ａ、１０ｂはそれぞれ中継メッセージを解析しピアツーピア通信のＱｏＳクラス分類条件を抽出し、ＱｏＳポリシを生成する。生成したＱｏＳポリシはそれぞれの中継装置から通信端末を収容しているＩＰアドレス１９２．１６８．１００．１のエッジノード２０ａ、ＩＰアドレス１９２．１６８．１００．２のエッジノード２０ｂに設定される。）例を詳細に説明する。
【００１５】
以下、図３〜図９を用いて本発明のセッション中継装置およびこれらを用いた通信網の動作（ＱｏＳ制御された端末間のピアツーピア通信動作）例を詳細に説明する。
【００１６】
図３は、通信端末Ａ　１５ａが通信端末Ｂ　１５ｂとピアツーピア通信を開始する際の通信手順を示すシーケンス図である。
通信端末Ａ（１５ａ）は、まずセッション中継装置Ａ（１０ａ）に対し、セッション確立要求を示すＩＮＶＩＴＥメッセージ５０１を送信する。ＩＮＶＩＴＥメッセージを受信したセッション中継装置Ａ（１５ａ）は、ＩＮＶＩＴＥメッセージに格納されているセッション情報およびピアツーピア通信情報を内部のポリシ生成部２１０に保持しておき（５０２）、ＩＮＶＩＴＥメッセージ５０３をセッション中継装置Ｂ（１０ｂ）に転送するとともに、ＩＮＶＩＴＥメッセージを転送したことを示すＴｒｙｉｎｇメッセージ５０４を通信端末Ａ（１５ａ）に応答する。
【００１７】
セッション中継装置Ｂ（１０ｂ）は、同様にＩＮＶＩＴＥメッセージ５０５を通信端末Ｂ（１５ｂ）に転送し、Ｔｒｙｉｎｇメッセージ５０６をセッション中継装置Ａに応答する。
【００１８】
ＩＮＶＩＴＥメッセージを受信した通信端末Ｂ（１５ｂ）が通信準備中であることを示すＲｉｎｇｉｎｇメッセージ５０７をセッション中継装置Ｂ（１０ｂ）に応答すると、セッション中継装置Ｂ（１０ｂ）およびセッション中継装置Ａ（１０ａ）は、それぞれ同様にＲｉｎｇｉｎｇメッセージ５０８、５０９をセッション中継装置Ａ（１０ａ）と通信端末Ａ（１５ａ）に送信する。
【００１９】
ピアツーピア通信が可能となった通信端末Ｂ（１５ｂ）がＯＫメッセージ５１０をセッション中継装置Ｂに転送すると、セッション中継装置Ｂ（１０ｂ）は、ＯＫメッセージ内に格納されているセッション情報およびピアツーピア通信情報を内部のポリシ生成部２１０に保持しておき（５１１）、ＯＫメッセージ５１２をセッション中継装置Ａ（１０ａ）に転送する。
【００２０】
セッション中継装置Ａ（１０ａ）が同様にＯＫメッセージ５１３を通信端末Ａ（１５ａ）に転送すると、ＯＫメッセージを受信した通信端末Ａ（１５ａ）は、ピアツーピア通信開始を示すＡＣＫメッセージ５１４をセッション中継装置Ａ（１０ａ）に送信する。
【００２１】
ＡＣＫメッセージを受信したセッション中継装置Ａ（１５ａ）は、内部のポリシ生成部２１０に保持しておいたセッション情報およびピアツーピア通信情報をポリシ管理テーブル２２０に登録するとともに、ＱｏＳポリシを生成し、内部ＱｏＳポリシ配信部２００に受け渡す。ポリシ配信部２００は、ポリシ生成部２１０から受け取ったＱｏＳポリシからＣＯＰＳ　Ｄｅｃｉｓｉｏｎメッセージ５１６を生成するとともに、ＱｏＳポリシに含まれる送信元ＩＰアドレスから通信端末−エッジノード対応テーブルを検索し、対応するエッジノードに対してＤｅｃｉｓｉｏｎメッセージを送信する（５１５）。
【００２２】
エッジノードＡ（２０ａ）は、受信したＤｅｃｉｓｉｏｎメッセージに格納されているＱｏＳポリシからＱｏＳ制御クラス分類条件およびパケット処理を取り出し登録するとともに、登録完了を示すＲｅｐｏｒｔメッセージ５１７をセッション中継装置Ａ（１０ａ）に応答する。
【００２３】
Ｒｅｐｏｒｔメッセージを受信したセッション中継装置Ａ（１０ａ）がＡＣＫメッセージ５１９をセッション中継装置Ｂ（１０ｂ）に送信する（５１８）と、セッション中継装置Ｂ（１０ｂ）は、同様に内部ポリシ生成部２１０に格納しておいたセッション情報およびピアツーピア通信情報をポリシ管理テーブル２２０に登録し、ポリシ配信部２１０にてＣＯＰＳ　Ｄｅｃｉｓｉｏｎメッセージ５２１を生成し通信端末Ｂを収容するエッジノードＢ（２０ｂ）に送信する５２０。
【００２４】
Ｄｅｃｉｓｉｏｎメッセージを受信したエッジノードＢ（２０ｂ）は、同様にＱｏＳ制御クラス分類条件およびパケット処理を登録し、Ｒｅｐｏｒｔメッセージ５２２をセッション中継装置Ｂ（１０ｂ）に送信し、このＲｅｐｏｒｔメッセージを受信したセッション中継装置Ｂ（１０ｂ）は、ＡＣＫメッセージ５２４を通信端末Ｂ（１５ｂ）に送信する（５２３）。
【００２５】
以上で説明した動作によりＱｏＳの設定は完了し、通信端末Ａ（１５ａ）からのピアツーピア通信パケット５２５は、エッジノードＡ（２０ａ）でＱｏＳ制御クラス設定が行われ（５２６）、通信端末Ｂ（１５ｂ）からのピアツーピア通信パケット５２６は、エッジノードＢ（２０ｂ）でＱｏＳ制御クラス設定が行われ（５２８）、ネットワーク４０内部ではコアノード３０が優先制御によるパケット中継を実行する。
【００２６】
図４は、ＩＮＶＩＴＥメッセージ５０１に格納されているピアツーピア通信情報の一例を示す情報説明図である。
ＳＩＰでは、ピアツーピア通信情報をＳＤＰ　（Ｓｅｓｓｉｏｎ　Ｄｅｓｃｒｉｐｔｉｏｎ　Ｐｒｏｔｏｃｏｌ）で記述するもので、図４の例では、送信元ＩＰアドレスが１９２．１６８．１０．１、送信先ＩＰアドレスが１９２．１６８．２０．１、通信データが音声、送信元ポート番号が４９１７０、通信プロトコルとしてＲＴＰ　（Ｒｅａｌｔｉｍｅ　Ｔｒａｎｓｐｏｒｔ　Ｐｒｏｔｏｃｏｌ）を使用することを示している。
【００２７】
図５は、セッション中継装置のポリシ管理テーブル２２０の構成例を示すテーブル構成図である。
各エントリは、１つのピアツーピア通信に対応し、ＳＩＰにおけるセッションを一意に識別するための情報であるＣａｌｌ−ＩＤ、Ｔｏ　ｔａｇ、Ｆｒｏｍ　ｔａｇ、ピアツーピア通信の送信元アドレスおよびポート番号、送信先アドレス、パケットの優先中継制御レベルを示すＤＳＣＰ値、中継ネットワークを選択する場合の次中継ノードのアドレスとで構成した。
【００２８】
図６は、セッション中継装置の通信端末−エッジノード対応テーブル２３０の構成例を示すテーブル構成図である。本例では、各エントリが１つの通信端末に対応するもので、通信端末のＩＰアドレス、通信端末を収容するエッジノードのＩＰアドレスとで構成した。
【００２９】
図７は、セッション中継装置のポリシ生成部で生成されたポリシの一例を示す説明図である。本例では、送信元ＩＰアドレスが１９２．１６８．１０．１かつ、送信元ポート番号が４９１７０かつ、送信先ＩＰアドレスが１９２．１６８．２０．１の条件を満たすパケットのＤＳＣＰ値を０ｘ００１０１０に書き換えということを示している。これにより、エッジノード２０にて条件に合致するパケットのＤＳＣＰ値が書き換えられ、コアノード３０にてＤＳＣＰ値を基にした優先制御が実行される。尚、中継ネットワークを請託する場合には、ＤＳＣＰ値の代わりに次中継ノードのアドレスが示される。
【００３０】
図８は、通信端末Ｂ（１５ｂ）が通信端末Ａ（１５ａ）とのピアツーピア通信を終了する際の通信手順を示すシーケンス図である。
通信端末Ｂ（１５ｂ）がセッション中継装置Ｂ（１０ｂ）に対してセッション終了を示すＢＹＥメッセージ６０１を送信すると、セッション中継装置Ｂ（１０ｂ）は、ＢＹＥメッセージ６０２をセッション中継装置Ａ（１０ａ）に転送し、セッション中継装置Ａ（１０ａ）は、同様にＢＹＥメッセージ６０３を通信端末Ａ（１５ａ）に転送する。そして、ＢＹＥメッセージを受信した通信端末Ａ（１５ａ）は、ＯＫメッセージ６０４をセッション中継装置Ａ（１０ａ）に送信する。
【００３１】
ＯＫメッセージを受信したセッション中継装置Ａ（１０ａ）は、内部ポリシ生成部２１０がメッセージに格納されているＣａｌｌ−ＩＤ、Ｔｏ　ｔａｇ、Ｆｒｏｍ　ｔａｇを用いてポリシ管理テーブル２２０を検索し、該当するエントリを削除するとともに、ＱｏＳ制御の解除を示すＱｏＳポリシを生成し、ポリシ配信部に受け渡す。ＱｏＳポリシを受け取ったポリシ配信部２２０は、Ｄｅｃｉｓｉｏｎメッセージ６０６を生成し、通信端末−エッジノード対応テーブル２３０から通信端末を収容するエッジノードを検索して、該当するエッジノードＡ（２０ａ）に配信する（６０５）。
【００３２】
Ｄｅｃｉｓｉｏｎメッセージを受信したエッジノードＡ（２０ａ）は、該当するＱｏＳポリシ設定を削除し、削除完了を示すＲｅｐｏｒｔメッセージ６０７を応答する。
【００３３】
Ｒｅｐｏｒｔメッセージを受信したセッション中継装置Ａ（１０ａ）がＡＣＫメッセージ６０９をセッション中継装置Ｂ（１０ｂ）に送信する（６０８）と、ＡＣＫメッセージを受信したセッション中継装置Ｂは、同様に、内部ポリシ管理テーブルからの該当エントリの削除および、Ｄｅｃｉｓｉｏｎメッセージ６１１のエッジノードＢ（２０ｂ）への送信を行う（６１０）。
【００３４】
Ｄｅｃｉｓｉｏｎメッセージを受信したエッジノードＢ（２０ｂ）がＱｏＳポリシ設定の削除を行いＲｅｐｏｒｔメッセージ６１２を送信すると、このＲｅｐｏｒｔメッセージを受信したセッション中継装置Ｂ（１０ｂ）は、ＡＣＫメッセージ６１４を通信端末Ｂに送信する（６１３）。
以上の手順でピアツーピア通信の終了と対応するＱｏＳ制御の解除が行なわれる。
【００３５】
図９は、本発明のセッション中継装置１０に備えたポリシ生成部の処理フローを示す動作フロー図である。
ポリシ生成部２１０は、起動時にポリシ管理テーブル２２０の初期化を行い、以降、次の処理を繰り返し行う。
【００３６】
まず、セッションの確立が検出されたかどうかを調べる。検出された場合には、セッション制御メッセージ内のセッション情報およびピアツーピア通信情報からＤＳＣＰ値を設定するポリシを生成する。生成したポリシをポリシ管理テーブル２２０に登録し、ポリシ配信部２００を介してエッジノード３０にポリシ設定を行う。
【００３７】
次に、セッション終了が検出されたかどうかを調べる。検出された場合には、セッション制御メッセージ内のセッション情報をキーとし、ポリシ管理テーブル２２０を検索する。検索結果のエントリを用いてＤＳＣＰ値をクリアするポリシを生成し、ポリシ配信部２１０を介してエッジノード３０のポリシの設定解除を行う。尚、ポリシ管理テーブル２２０の該当エントリはこの後削除される。
【００３８】
図１０は、中継ネットワークが選択可能な通信網に本発明のセッション中継装置１０を適用したネットワークの構成を示す網構成図である。
中継ネットワークとして４０ａ、４０ｂ、４０ｃで示されるネットワークが存在し、ピアツーピア通信データの種別に従い中継ネットワークを選択することでネットワークの帯域を確保することができる。例えば、ポリシ設定により４０ａで示される中継ネットワークを選択する場合には、ポリシ内部のパケット中継制御処理として次中継ノードに３０ａａで示されるコアノードを指定することで容易に実現可能である。
【００３９】
【発明の効果】
以上のように、本発明によれば、ポリシ設定可能なピアツーピア通信において、セッション中継装置にてピアツーピア通信の開始および終了を検出し、通信開始時には通信端末を収容するエッジノードにポリシ設定を行い、通信終了時にはポリシ設定解除を行うことが可能となる。また、オペレータによるポリシ設定操作が不要となり、不必要なポリシ設定によるエッジノードでのパケット中継遅延を防ぐことが可能となる。
【図面の簡単な説明】
【図１】本発明のセッション中継装置の構成を示すブロック図である。
【図２】本発明のセッション中継装置を用いた通信網の構成例を示す網構成図である。
【図３】同じく、ピアツーピア通信を開始する通信手順を示すシーケンス図である。
【図４】同じく、ＩＮＶＩＴＥメッセージとＯＫメッセージ内のピアツーピア通信情報の例を示す説明図である。
【図５】同じく、ポリシ管理テーブルの構成例を示すテーブル構成図である。
【図６】同じく、通信端末−エッジノード対応テーブルの構成例を示すテーブル構成図である。
【図７】同じく、ポリシ生成部で生成されるポリシの内容を示す説明図である。
【図８】同じく、ピアツーピア通信を終了する通信手順を示すシーケンス図である。
【図９】同じく、ポリシ生成部の動作を説明する動作フロー図である。
【図１０】本発明のセッション中継装置を用いた通信網の別の構成を示す網構成図である。
【符号の説明】
１０・・・セッション中継装置、１５・・・通信端末、２０・・・エッジノード、
３０・・・コアノード、４０・・・ポリシ設定可能なＩＰネットワーク、
１００・・・ＩＰ機能ブロック、１１０・・・ピアツーピア通信機能ブロック、
１２０・・・セッション管理テーブル、２００・・・ポリシ配信部、
２１０・・・ポリシ生成部、２２０・・・ポリシ管理テーブル、
２３０・・・通信端末−エッジノード対応テーブル。
【図１】
2004146973.tif 000003
【図２】
2004146973.tif 000004
【図３】
2004146973.tif 000005
【図４】
2004146973.tif 000006
【図５】
2004146973.tif 000007
【図６】
2004146973.tif 000008
【図７】
2004146973.tif 000009
【図８】
2004146973.tif 000010
【図９】
2004146973.tif 000011
【図１０】
2004146973.tif 000012